(57)【特許請求の範囲】
【請求項１】
ハウジングに形成された外部接続部が、移動体通信機器の一端面に位置するように収容されたシステムコネクタにおいて、外部接続部に備えられた電源供給パッドの一方の第１パッド接続端子の後端が、当該外部接続部に備えられたＤＣ接続ジャック部のプラグピン接続端子後端と挟圧接続され、他方の第２パッド接続端子の後端が、第２スリーブバネの両端を介して、ＤＣ接続ジャック部と第１スリーブバネとがそれぞれ挟圧接続され、当該プラグピン接続端子及び第１スリーブバネに、それぞれプリント回路基板への圧接スプリング部を設けたことを特徴とする移動体通信機器用システムコネクタ。
【請求項２】
第１スリーブバネと第２スリーブバネが、ＤＣプラグに対してコモン接続可能になっていることを特徴とする請求項１記載の移動体通信機器用システムコネクタ。
【発明の詳細な説明】
【０００１】
【発明の属する技術分野】
本発明は、移動体通信機器に使用されるシステムコネクタの電源供給部におけるコネクタの入力側から出力側までの構造をコンパクトにし、かつ、接続信頼性の向上を図るのに効果的なシステムコネクタ構造に関する。
【０００２】
【従来の技術】
携帯電話機等の移動体通信機器には、一般にバッテリが内蔵されていて、このバッテリの充電用端子や、データ通信時にケーブルを接続するための外部接続端子あるいは、ＡＣアダプタ等のコネクタで直接接続する外部接続端子等が備えられていて、これらの機能を複合化したシステムコネクタが広く採用されている。
従来、この種のシステムコネクタには、図６に示すように樹脂ハウジング１００に、コネクタを接続して電源供給するための平型コネクタ１０１及びスタンド型の充電機器を用いて充電するためのパッド１０２が並設されていて、それぞれのコンタクト１０３の端子１０３ａにてプリント回路基板に、ＳＭＴ（Surface  Mount  Technology）によるはんだ付けがなされていた。
従って、はんだ付け時の加熱により、コンタクトに反りや、浮きが生じやすく、接続のばらつきも大きい技術的課題があり、外部接続端子の挿入や取り外し時の負荷や落下衝撃等により、はんだ部にクラックが生じやすい問題も指摘されている。
また、最近は環境問題上、鉛の使用そのものが問題となりつつある。
さらには、平型コネクタのコンタクト及びパッドの端子が、それぞれ、プリント回路基板に接続されているために、横方向の配置スペースが多く必要であるだけで無く、外部端子接続において回路制御上コモン接続が必要である場合には、プリント回路基板上にて配置設定対応する必要があった。
このように部品点数が多く、移動通信機器の小型化要求に対応するためには、コンタクトのプレス加工が困難になってきていて、しかもハウジングへの組付も大変であった。
【０００３】
【発明が解決しようとする課題】
移動体通信機器に使用されるシステムコネクタの電源供給部は、上記に示したように、スタンド型の充電機器に接続するパッド部とアダプタを介して接続されるＤＣ接続ジャック部を有し、これらから入力された電力をプリント回路基板に安定して信頼性高く出力する機能が要求される。
従って本発明は、はんだ付けを使用せず、簡単でコンパクトな構造にて、この３つの機能を満足する接続信頼性の高い移動体通信機器用システムコネクタ電源供給構造の提供を目的とする。
【０００５】
【課題を解決するための手段】
本発明は、ハウジングに形成された外部接続部が、移動体通信機器の端面に位置するように収容されたシステムコネクタにおいて、プリント回路基板への接続方法としてスプリングによる弾性力を利用した圧接接続を採用し、圧接接続手段のスプリング力を確保するために、端子の板厚や、幅を従来に比較して大きくしつつ、パッドや、ＤＣ接続ジャック部プラグピン等の接続方法として、一方の端子にスリット（切込み部）を入れ、他方の端子を板厚方向に圧入する挟圧接続方法を採用することにより、端子接続構造の簡素化、コンパクト化及び接続信頼性の向上を図ったもので、外部接続部に備えられた電源供給パッドの一方の第１パッド接続端子の後端が、当該外部接続部に備えられたＤＣ接続ジャック部のプラグピン接続端子後端と挟圧接続され、他方の第２パッド接続端子の後端が、第２スリーブバネの両端を介して、ＤＣ接続ジャック部と第１スリーブバネとがそれぞれ挟圧接続され、当該プラグピン接続端子及び第１スリーブバネに、それぞれプリント回路基板への圧接スプリング部を設けた。
【０００６】
請求項２記載に係る発明は、第１スリーブバネと第２スリーブバネに、それぞれ、ＤＣ接続ジャック部内に接点部を設けてＤＣプラグに対してコモン接続出来るようにしたものである。
【０００７】
【発明の実施の形態】
本発明の望ましい実施の形態を図に基づいて以下説明する。
図１に本発明に係るシステムコネクタ１を外部接続側から見た図を示し、図２（イ）が、ハウジング１１の背面から見た図を示し、図２（ロ）がそのＪ−Ｊ断面図を示し、図２（ハ）がＫ−Ｋ断面図を示し、図２（ニ）がＡ−Ａ断面図を示す。
ハウジング１１の外部接続側には、アダプタ等を介して電源入力するＤＣ接続ジャック部２、スタンド型の充電機器を介して電源入力する第１パッド３ａ、第２パッド３ｂ、その他に信号入力する信号用ジャック部４等が設けられている。
ハウジング側面には、プリント回路基板側に電源出力するプリント回路基板接続部となるプラグピン接続端子圧接スプリング部５１、第１スリーブバネ圧接スプリング部７１が備えられている。
【０００８】
ハウジング内の接続構造を図２と分解斜視図である図３〜図５に基づいて以下説明する。
図３に示すように、ハウジング１１の外部接続側から第１パッド接続端子３ａ、第２パッド接続端子３ｂをハウジングに設けた第１パッド接続端子収納孔１３ａ、第２パッド接続端子収納孔１３ｂにそれぞれ挿入する。
図２及び図３に示すように、第１スリーブバネのＤＣプラグ接点部７２が、ＤＣ接続ジャック部孔側部に配置され、ハウジングのプリント回路基板側に設けた圧接スプリング部収容溝１７１に第１スリーブバネ圧接スプリング部７１が配置されるようにして第１スリーブバネ７をハウジング背面側から第１スリーブバネ収容室１７に挿入する。
次に、同じくハウジング背面側から第２スリーブバネ６を第２スリーブバネ収容室１６に挿入するが、この際に図４に示すように、第２スリーブバネ６の一端に設けられた挟圧接続部（１）６１が、第２パッド接続端子３ｂの後端に設けた第２パッド接続端子切込み部３１ｂに圧入され、第２スリーブバネの他方端に設けられた挟圧接続部（２）６２が、第１スリーブバネ７の後端に設けられた第１スリーブバネ切込み部７３に圧入接続されるように構成されている。
なお、図４に示すように、パッド接続端子切込み部、あるいは第１スリーブ切込み部を端子を折り曲げた２重構造にすると接続信頼性がより優れたものになる。
また、第２スリーブバネに設けられたＤＣプラグ接点部６３が、ＤＣ接続ジャック部孔側部に配置され、上記第１スリーブバネＤＣプラグ接点部７２とにより第１及び第２スリーブバネがコモン接続可能になっている。
【０００９】
次に、図３及び図５に示すように、プラグピン接続端子５のプラグピン５２がＤＣ接続ジャック部に臨み、プリント回路基板への圧接スプリング部５１がハウジング側部の圧接スプリング収容溝１５１に配置され、プラグピン接続端子挟圧接続部５３が第１パッド接続端子３ａの後端に設けた第１パッド接続端子切込み部３１ａに圧入されるようにこのプラグピン接続端子５がハウジングの背面から挿入される。
【００１０】
信号ジャック部４には、図２及び図３に示すように、信号接続端子４１〜４５が設けられ、これらにも圧接スプリング部が備えられ、プリント回路基板と接続可能になっている。
【００１１】
【発明の効果】
本発明によれば、第２パッド接続端子３ｂが、第２スリーブバネ６を介して第１スリーブバネ１と接続され、第１パッド接続端子３ａがプラグピンと接続しているのでＤＣ接続ジャックと外部スタンドからのどちらから電源供給した場合にも圧接スプリング部からプリント回路基板側に電源供給が可能になり、構造が簡単でコンパクトになる。
また、圧接スプリング方式の採用によりプリント回路基板へのハンダ付けが不要になるだけでなく、プリント回路基板への接続信頼性が高くなる。
また、パッド接続端子及び第１スリーブバネの後端部に設けた切込み部に、接続される他方の第２スリーブバネ及びプラグピン接続端子に設けた挟圧接続部を圧入挟持接続させたことにより、端子間の接続方法が簡単でコンパクトになり、かつ、耐衝撃性に強く、接続信頼性が高くなる。
なお、構造が簡単になったことにより、移動体通信機器の端面に組み込むスペースを小さく出来、端子（コンタクト）のプレス加工もしやすくなり、それぞれの接続部品のシステムコネクタハウジングへの組付性も向上する。
【図面の簡単な説明】
【図１】本発明に係るシステムコネクタを外部接続側から見た図を示す。
【図２】ハウジング背面側から見た図及び要部断面図を示す。
【図３】各端子ハウジング挿入分解図を示す。
【図４】端子の接続方法を示す。
【図５】端子の接続した状態を示す。
【図６】従来のシステムコネクタの例を示す。
【符号の説明】
１    システムコネクタ
１１  ハウジング
１６  第２スリーブバネ収容室
１７  第１スリーブバネ収容室
１５１  プラグピン接続端子圧接スプリング部収容溝
１７１  第１スリーブバネ圧接スプリング部収容溝
２    ＤＣ接続ジャック部
３ａ  第１パッド（パッド接続端子）  ３ｂ  第２パッド（パッド接続端子）
３１ａ  第１パッド接続端子切込み部
３１ｂ  第２パッド接続端子切込み部
４      信号接続ジャック部
４１、４２、４３、４４、４５  信号接続端子
５      プラグピン接続端子
５１    プラグピン圧接スプリング部
５２    プラグピン
５３    プラグピン接続端子挟圧接続部
６      第２スリーブバネ
６１    第２スリーブバネ挟圧接続部（１）
６２    第２スリーブバネ挟圧接続部（２）
６３    第２スリーブバネＤＣプラグ接点部
７      第１スリーブバネ
７１    第１スリーブバネ圧接スプリング部
７２    第１スリーブバネＤＣプラグ接点部
７３    第１スリーブバネ切込み部
【図１】
0003714889.tif 000002
【図２】
0003714889.tif 000003
【図３】
0003714889.tif 000004
【図４】
0003714889.tif 000005
【図５】
0003714889.tif 000006
【図６】
0003714889.tif 000007